(57)【要約】【課題】不特定多数の視聴者が視聴可能に設置された表示装置に、視聴者端末から受付けたリクエスト中から有効リクエストを抽出して、それを基に表示するコンテンツを選択する表示装置管理システムを提供する。【解決手段】表示コンテンツの内容を一覧可能なメニューデータを視聴者端末３に送信する表示コンテンツメニュー送出手段１６と、視聴者端末３からリクエストデータを受付けるリクエスト受付手段１５と、受付けたリクエストデータの中から有効リクエストを抽出する有効リクエスト抽出手段１４と、有効リクエストに基づき表示装置に送信する表示コンテンツを選定する表示コンテンツ選定手段１３と、表示コンテンツと関連づけられた広告データを選定する広告データ選定手段１２と、選定された表示コンテンツと広告データを表示装置に送信し、それらの表示制御を行う表示コンテンツ制御手段１１を備える。【選択図】  図１
2004199241.tif 000002
【特許請求の範囲】
【請求項１】
不特定多数の視聴者が視聴可能に設置された表示装置に送信する表示コンテンツを制御する表示装置管理システムであって、
表示コンテンツデータベースに保存されている前記表示コンテンツの内容を一覧可能なメニューデータを視聴者の使用する視聴者端末に送信する表示コンテンツメニュー送信手段と、
前記メニューデータに基づいて選択された前記視聴者の視聴したい表示コンテンツに係るリクエストデータを前記視聴者端末から受付け、前記リクエストデータをリクエストデータベースに保存するリクエスト受付手段と、
前記リクエストデータベースに保存されている前記リクエストデータの中から有効リクエストを抽出する有効リクエスト抽出手段と、
前記有効リクエストに基づき、前記表示装置に送信する表示コンテンツを選定する表示コンテンツ選定手段と、
前記表示コンテンツと関連づけられた広告データを広告データベースから選定する広告データ選定手段と、
選定された前記表示コンテンツと前記広告データを前記表示装置に送信し、前記表示コンテンツ及び前記広告データの表示制御を行う表示コンテンツ制御手段と、を備えてなる表示装置管理システム。
【請求項２】
前記リクエスト受付手段は、受付けた前記リクエストデータとその受付時間を対応付けて前記リクエストデータベースに保存し、
前記有効リクエスト抽出手段は、前記受付時間から有効リクエスト抽出時までの経過時間に基づいて前記有効リクエストを抽出することを特徴とする請求項１に記載の表示装置管理システム。
【請求項３】
前記リクエストデータの送信を行った前記視聴者端末に、前記表示装置に表示される前記表示コンテンツとは別の付加情報を送信する付加情報提供手段を備えることを特徴とする請求項１または２に記載の表示装置管理システム。
【請求項４】
前記表示装置に送信された前記広告データの送信回数または前記視聴者端末に送信された前記付加情報の送信回数に基づいて広告料を算定する広告料金算定手段を備えることを特徴とする請求項１〜３の何れかに記載の表示装置管理システム。
【請求項５】
請求項１〜４の何れか１項に記載の各手段を所定のコンピュータ上でソフトウェア処理により実現させるためのプログラムステップを含む表示装置管理プログラム
【発明の詳細な説明】
【０００１】
【発明の属する技術分野】
本発明は表示装置に送信する表示コンテンツを、視聴者端末から受付けたリクエストデータより抽出された有効リクエストに基づいて選択し、選択された表示コンテンツと関連づけられた広告データと共に表示装置へ送信し、表示制御を行う表示装置管理システムに関する。
【０００２】
【従来の技術】
街頭や駅前などの人の集まりやすい場所や、人通りの多い歩道近辺等に、ビルの壁面等を利用して大型ディスプレイを設置し、映像や音楽等と共に広告を放映する表示装置がよく見受けられる。青色発光ダイオードの発明により、発光ダイオードのみで三原色である赤・緑・青の発色ができるようになったため、ディスプレイの大型化・鮮明化が進み、広告媒体としての表示装置の重要性が増してきている。
【０００３】
一般的にこのような表示装置の運営は、ひとつの業者が複数の表示装置を管理する形で行っており、ディスプレイの設置場所の選定、ディスプレイ毎に放映するコンテンツの選択と放映する時間の決定、コンテンツと共に流すべき広告データの選択等を行っている。
【０００４】
このような複数の表示装置を一括管理するシステムのひとつとして、各広告主の広告情報や緊急通報等の表示データをリアルタイムに且つ一斉に表示するシステムが提案されている（特許文献１を参照）。従来の手書きによる看板広告とは違い、通信ネットワークを利用することにより、放映するコンテンツの更新が容易で、またその発信も一斉且つタイムリーに行うことができる。またコンテンツ放映スケジュール等をコンピュータシステムで管理することにより、安価な運営が可能となっている。
【０００５】
また複数のディスプレイに同じ情報を流すのではなく、その設置場所や時間帯に応じて、対応づけられたコンテンツや広告情報等を選択するシステムも提案されている（特許文献２を参照）。ディスプレイの設置場所や地域のような地理的因子と、時間や季節、曜日等のような時間的因子を考慮にいれて、これらの因子と放映する広告情報を関連づけて管理し、それに応じた広告料を請求することとしている。
【０００６】
【特許文献１】
特開２００２−４０９７４号公報
【特許文献２】
特開２００２−７４１９７号公報
【０００７】
【発明が解決しょうとする課題】
しかしながらディスプレイに表示するコンテンツは運営者が独自の観点で選定しており、ディスプレイの設置場所等の地理的因子や曜日等の時間的因子によって、表示内容を変える工夫は存在するものの、運営者が選択したコンテンツをスケジュールどおりに放映しているにすぎない。
【０００８】
広告が目的である以上視聴者の注目を集められるコンテンツを放映すべきであるが、運営者の観点で選択されたコンテンツが視聴者のニーズにあっているかははなはだ疑問である。また衛星放送やデジタル放送等の開始に伴う多チャンネル化やビデオカメラの低価格化によって、放映できるコンテンツが増加しており、一層表示すべきコンテンツの選択が難しくなっている。
【０００９】
また視聴者の属性は時間帯によって変化している。例えば朝は通勤・通学者、昼は主婦・学生層、夕方は若い女性層等と変化し、ひとつのディスプレイがまったく異なる視聴者層を相手にコンテンツを提供しなくてはならない。さらには、サッカーの試合やコンサート等イベントが近くで開催されると、普段とはさらに異なる視聴者層を相手にしなければならないこととなる。このように激しく変化する視聴者層に合わせて、表示すべきコンテンツをスケジュール化することは非常に困難である。
【００１０】
さらに街頭等に設置したディスプレイを視聴する者は、一般的に待ち合わせ時間や電車が来るまでの時間等を利用して比較的短い時間しか視聴していないことが多い。表示装置の運営は広告収入で行われていることが多いので、短い時間しか視聴しない人々の注目をあつめ、宣伝効果を上げるという難しい課題に対処しなくてはならない。
【００１１】
本発明は上記の問題に鑑みてなされてものであり、その目的は視聴者から視聴したいコンテンツのリクエストデータを視聴者の使用する視聴者端末から受付け、そのリクエストデータの中から現在有効なリクエストを抽出して、その有効リクエストを基に表示するコンテンツを選択する表示装置管理システム、及びプログラムを提供することにある。
【００１２】
【課題を解決するための手段】
上記課題を解決するための本発明に係る表示装置管理システムの第一の特徴構成は、特許請求の範囲の欄の請求項１に記載の如く、不特定多数の視聴者が視聴可能に設置された表示装置に送信する表示コンテンツを制御する表示装置管理システムであって、表示コンテンツデータベースに保存されている前記表示コンテンツの内容を一覧可能なメニューデータを視聴者の使用する視聴者端末に送信する表示コンテンツメニュー送出手段と、前記メニューデータに基づいて選択された前記視聴者の視聴したい表示コンテンツに係るリクエストデータを受付け、前記リクエストデータをリクエストデータベースに保存するリクエスト受付手段と、前記リクエストデータベースに保存されている前記リクエストデータの中から有効リクエストを抽出する有効リクエスト抽出手段と、前記有効リクエストに基づき、前記表示装置に送信する表示コンテンツを選定する表示コンテンツ選定手段と、前記表示コンテンツと関連づけられた広告データを広告データベースから選定する広告データ選定手段と、選定された前記表示コンテンツと前記広告データを前記表示装置に送信し、前記表示コンテンツ及び前記広告データの表示制御を行う表示コンテンツ制御手段を備える点にある。
【００１３】
上記特徴構成により、前記表示装置の視聴者は表示コンテンツとしてどのようなものがあるかの情報を得ることができ、自分が視聴したい表示コンテンツのリクエストデータを視聴者端末から送信することができる。これにより自分が見たい表示コンテンツを視聴するチャンスが増えるので、視聴者の意思とは関係なく設定された表示コンテンツよりも視聴者の注目を集めやすく、それに比例して表示装置で表示される広告の効果も増大させることができる。
【００１４】
上記課題を解決するための本発明に係る表示装置管理システムの第二の特徴構成は、特許請求の範囲の欄の請求項２に記載の如く、前記リクエスト受付手段において、受付けた前記リクエストデータとその受付け時間を対応付けて前記リクエストデータベースに保存し、前記有効リクエスト抽出手段において、前記受付け時間から前記有効リクエスト抽出時までの経過時間に基づいて前記有効リクエストを抽出する点にある。
【００１５】
上記の特徴構成により、視聴者端末から受付けたリクエストデータはすべて有効リクエストとして集計されるのではなく、有効リクエスト抽出時までの一定時間内に受付けたリクエストデータだけが有効リクエストとして抽出・集計されて、それを基に表示装置に送信すべき表示コンテンツが決定される。これによりすでにその場から立ち去って表示装置を視聴していない可能性の高い視聴者の視聴者端末から受付けたリクエストデータを集計対象から除くことができ、視聴時間が短く、激しく属性が変化する視聴者の視聴したい表示コンテンツ内容を適確に把握することができる。
【００１６】
上記課題を解決するための本発明に係る表示装置管理システムの第三の特徴構成は、特許請求の範囲の欄の請求項３に記載の如く、前記リクエストデータの送信を行った前記視聴者端末に、前記表示装置に表示される前記表示コンテンツとは別の付加情報を送信する付加情報提供手段を更に備える点にある。
【００１７】
上記の特徴構成により、リクエストデータで指定された表示コンテンツのスポンサーである広告主から、前記リクエストデータを送信した視聴者端末に、メール等によって広告を含む付加情報の提供がなされる。これにより例えば野球中継に係るリクエストデータを送信した視聴者端末には他球場の途中結果情報を提供する等表示装置とは別の他媒体を使って付加情報を提供することで、表示装置はより多くの視聴者を集めることができ、かつ広告効果を上げることができる。
【００１８】
上記課題を解決するための本発明に係る表示装置管理システムの第四の特徴構成は、特許請求の範囲の欄の請求項４に記載の如く、前記表示装置に送信された前記広告データの送信回数または前記視聴者端末に送信された前記付加情報の送信回数に基づいて広告料を算定する広告料金算定手段を更に備える点にある。
【００１９】
上記の特徴構成により、広告主は従来のように広告効果が計れない状態で一括の広告料を支払うのではなく、スポンサーになっている表示コンテンツに係るリクエストデータ数を反映した広告データ送信回数や視聴者端末への情報提供回数に基づいて広告料が算定されるので、広告効果に見合った料金のみ支払えばいいことになる。またよりリクエストデータ数の多い表示コンテンツのスポンサーになる等、広告効果をあげるための方策を取ることも可能となる。
【００２０】
上記課題を解決するための本発明に係る表示装置管理システムの第五の特徴構成は、特許請求の範囲の欄の請求項５に記載の如く、請求項１から請求項４の何れか１項に記載の各手段を所定のコンピュータ上でソフトウェア処理により実現させるためのプログラムステップを含む表示装置管理プログラムである点にある。
【００２１】
上記の特徴構成により、その表示装置管理プログラムが所定のコンピュータにおいて起動されると、コンピュータに表示装置管理システムの上記各手段を実現させることができる。その結果上記表示装置管理システムの上記第一から第四の何れかの特徴構成によるものと同様の作用効果が発揮される。
【００２２】
【発明の実施の形態】
以下に図面を参照して本発明にかかる表示装置管理システムの一実施の形態について説明する。
【００２３】
図１に例示する表示装置管理システム１００は、視聴者端末３とインターネット等のネットワーク２を介してデータの送受信を行うＷＷＷサーバー部２１及びメールサーバー部２２を備え、視聴者端末３から受付けたリクエストデータや表示コンテンツデータ等のデータ処理を行う表示コンテンツ制御手段１１、広告データ選定手段１２、表示コンテンツ選定手段１３、有効リクエスト抽出手段１４、リクエスト受付手段１５、表示コンテンツメニュー送信手段１６からなるデータ処理部１０と、広告データを保存する広告データベース３１、視聴者端末３から受付けたリクエストデータを保存するリクエストデータベース３２、および表示コンテンツデータを保存する表示コンテンツデータベース３３のデータベース群とから構成され、視聴者端末３からのリクエストデータをＷＷＷサーバー部２１やメールサーバー部２２を介して受付け、前記リクエストデータに従って表示コンテンツを選択し、表示装置１に表示する表示装置管理システムである。
【００２４】
表示コンテンツメニュー送信手段１６は、表示コンテンツデータベース３３に蓄積している表示コンテンツデータを検索し、蓄積されている表示コンテンツの内容を一覧可能なメニューデータを作成して、ＷＷＷサーバー部２１やメールサーバー部２２を介して視聴者端末３に送信する機能を有する。
【００２５】
リクエスト受付手段１５は、視聴者端末３からＷＷＷサーバー部２１を介して受付けたリクエストデータを受取り、リクエストデータベース３２に保存する機能を有する。
【００２６】
有効リクエスト抽出手段１４は、リクエストデータベース３２に保存されている視聴者端末３から受付けたリクエストデータから一定の基準に基づいて有効リクエストデータを抽出する機能を有する。
【００２７】
表示コンテンツ選定手段１３は、有効リクエスト抽出手段１４より前記有効リクエストデータを受取り、一定の規則に従って表示装置１に表示する表示コンテンツを選定し、表示コンテンツデータベース３３を検索して前記表示コンテンツデータを抽出する機能を有する。
【００２８】
広告データ選定手段１２は、表示コンテンツ選定手段１３から選定された前記表示コンテンツの情報を受取り、広告データが表示コンテンツと対応付けて保存されてある広告データベース３１から、前記表示コンテンツに対応する広告データを検索、特定及び抽出する機能を有する。
【００２９】
この表示装置管理システム１００は、ＣＰＵ（Central  Processing  Unit）を中心とした演算処理部と、演算処理部において実行される各種プログラムや、演算処理過程または演算処理前後の情報を記憶するメモリ、ハードディスクドライブ等の記憶媒体で構成される記憶部と、処理されるデータの入力や出力を行うキーボードやディスプレイ等の入出力装置で構成される入出力部と、通信ネットワークを介してデータのやり取りを行う通信制御部とを備えて構成される１台または複数台のコンピュータにより実現可能である。
【００３０】
次に視聴者端末３からのリクエストデータの受付から、表示装置１に表示コンテンツデータを送信するまでの基本的な処理の流れを図２、図３、図４と図５を用いて説明する。尚、視聴者端末３としては携帯電話３（４）、ＰＤＡ３（５）（Pｅｒｓｏｎａｌ  Dｉｇｉｔａｌ  Ａｓｓｉｓｔａｎｔｓ）又はモバイルパソコン３（６）等の通信端末を想定している。
【００３１】
まず図２を用いて、視聴者端末３からリクエストデータを受取りリクエストデータベースに保存するまでのフローを説明する。
【００３２】
視聴者端末３からメニューデータ送信要求がＷＷＷサーバー部２１に送られる（＃０１）。前記送信要求を受付けたＷＷＷサーバー部２１は、メニューデータ作成要求を表示コンテンツメニュー送信手段１６に対して行う（＃０２）。前記作成要求を受付けた表示コンテンツメニュー送信手段１６は、表示コンテンツデータが保存されている表示コンテンツデータベース３３を検索し（＃０３）、表示コンテンツデータベース３３から返ってきた検索結果を抽出（＃０４）、前記検索結果を基にメニューデータを作成して、前記メニューデータをＷＷＷサーバー部２１に送信する（＃０５）。ＷＷＷサーバー部２１は前記メニューデータを、視聴者端末３で表示可能な形式に加工して視聴者端末３に送信する（＃０６）。
【００３３】
図３に視聴者端末３に送信された表示コンテンツメニューの画面例を示す。図３に例示された表示コンテンツメニューは、夫々の表示コンテンツのタイトルがクリック可能になっており、視聴者は視聴したい表示コンテンツのタイトルをクリックすることにより選択することが可能となっている。なお、図３にはＨＴＭＬ（Ｈｙｐｅｒ  Ｔｅｘｔ  Ｍａｒｋｕｐ  Ｌａｎｇｕａｇｅ）で作成された表示コンテンツメニューの例を示したが、図１のメールサーバー部２２を介して、メール形式によるメニューデータの送付も可能である。
【００３４】
そして視聴者はＷＷＷサーバー部２１から視聴者端末に送信されたメニューデータの内容を確認し、視聴したい表示コンテンツを選択する。視聴者が視聴したい表示コンテンツを選択すると、図４に示すように、選択した表示コンテンツのリクエストデータ送信確認画面が表示され、最下段の送信ボタンを押下することにより、リクエストデータをＷＷＷサーバー部２１に送信することができる（＃０７）。ＷＷＷサーバー部２１は、受信した前記リクエストデータをリクエスト受付手段１５に送る（＃０８）。リクエスト受付手段１５はＷＷＷサーバー部２１から受け取った前記リクエストデータを、例えば図６の（１）に示すようなデータフォーマットでリクエストデータベース３２に保存する（＃０９）。
【００３５】
次に図５を用いて、有効リクエスト抽出からメニューデータを表示装置１に送信するまでのフローを説明する。
【００３６】
有効リクエスト抽出手段１４は前記リクエスト情報が保存されているリクエストデータベース３２から、一定基準に基づいてリクエストデータを検索する（＃２１）。
【００３７】
前記一定基準としては、抽出タイミングと抽出条件の２つの側面がある。抽出タイミングでは、例えば９：００や１０：００のように毎時丁度のタイミングで抽出する等決められた時間・決められた時間間隔で定期的に抽出する方法や、「朝は比較的長い時間間隔で昼間は短い時間間隔で抽出する」等時間帯や曜日等に合わせて抽出間隔を変更する方法等が考えられる。一方抽出条件では、現時点から一定時間前（例えば３０分前等）までのリクエストデータを抽出する条件や、時間帯に合わせて前記一定時間前の時間幅を変動させる等（例えば朝は１０分前、昼は３０分前等）の条件が考えられる。
【００３８】
そして検索結果である有効リクエストをリクエストデータベース３２から抽出すると（＃２２）、有効リクエスト抽出手段１４は前記有効リクエストを表示コンテンツ選定手段１３に送信する（＃２３）。表示コンテンツ選定手段１３は一定基準に基づき表示すべき表示コンテンツを選定する。前記一定基準としては、例えば単純に、前記有効リクエストのリクエストデータ数を表示コンテンツ別に集計して一番多い有効リクエストが指定する表示コンテンツを選定する方法や、表示コンテンツを頻繁に切替えるのを防ぐため、前回選定した表示コンテンツに係る有効リクエスト数よりも、今回一番多い有効リクエスト数が多いのであれば表示コンテンツを切替え、同じ又は少なければ表示コンテンツをそのままにするという方法、あるいは前回選定した際の表示コンテンツ別有効リクエスト数を記憶させておき、その有効リクエスト数に係数（例えば０．５）をかけて、今回の有効リクエスト数に合算し、その合算された有効リクエスト数の中で一番多い表示コンテンツを選定する等の方法が考えられる。
【００３９】
なお、すでに表示装置１に表示されている表示コンテンツを継続して視聴したい視聴者は視聴者端末３からのリクエストデータ送信という行動自体を取らない可能性が高いため、その結果、不特定多数の視聴者の意向が汲み取れない可能性がある。例えば、現在ニュースが放映され、多数の視聴者がニュースを見続けたいにも関わらず、音楽ビデオをみたい少数の視聴者の視聴者端末からのリクエストデータ送信によって、ニュースから音楽ビデオに切替わってしまうという状況である。このような場合は前記有効リクエストに基づく表示コンテンツ選定方法に加えて、さらに表示コンテンツ選定手段の機能を有効に働かせるために、例えば表示装置１に視聴者端末３からのリクエストデータによって表示コンテンツが切替わる旨周知を図ることや、表示装置１の片隅に現在切替わる可能性の高い表示コンテンツトップ３の有効リクエスト数を表示して、視聴者の注意喚起を促す等の対策をとる必要がある。
【００４０】
表示コンテンツ選定手段１３で選定された表示コンテンツが、現在表示装置１で放映中の表示コンテンツと異なる場合は、選定された前記表示コンテンツデータを表示コンテンツデータベース３３より検索する（＃２４）。なお、表示コンテンツデータベース３３には、例えば図６の（２）に示すように、表示コンテンツＩＤと広告データが対応付けられた形で保存されている。検索結果が表示コンテンツデータベース３３から抽出される（＃２５）と、表示コンテンツ選定手段１３は検索結果から表示コンテンツＩＤに対応付けられている広告ＩＤを特定し、前記広告ＩＤを広告データ選定手段１２に送信する（＃２６）。また一方で、表示コンテンツデータは例えば図６の（２）に示すように表示コンテンツＩＤが表示コンテンツタイトル、コンテンツデータ保存場所等と対応付けられて表示コンテンツタグデータとして保存されている。表示コンテンツ選定手段１３は、検索結果から抽出した前記表示タグコンテンツデータから表示コンテンツの保存場所を特定し、表示コンテンツを表示コンテンツ制御手段１１に送信する（＃２９）。
【００４１】
前記広告ＩＤを受信した広告データ選定手段１２は、前記広告ＩＤをキーにして広告データベース３１を検索する（＃２７）。なお、広告データベース３１には、例えば図６の（３）に示すような広告ＩＤが広告主、広告データ保存場所等のデータと対応付けられて広告タグデータとして保存されている。検索結果が広告データベース３１から抽出されると（＃２８）、広告データ選定手段１２は、前記検索結果から広告データ保存場所を特定し、広告データを表示コンテンツ制御手段１１に送信する（＃３０）。
【００４２】
前記表示コンテンツと前記広告データを受け取った表示コンテンツ制御手段１１は、両データの表示順番や表示時間等を制御しながら、表示装置１に表示すべきデータを送信する。（＃３１）。
【００４３】
次に図７を参照しながら、本発明に係る表示装置管理システムの別実施形態について説明する。
【００４４】
図７に例示する表示装置管理システム２００は、図１に例示した表示装置管理システム１００に加えて付加情報提供手段１７を更に備えて構成される。ここで付加情報提供手段１７は、付加情報データベース３４に保存されている付加情報をＷＷＷサーバー部２１等を介して視聴者端末３に送信する機能を実現する。
【００４５】
視聴者端末３へ付加情報を送信するまでのフローを図８と図３ないし図４の画面例を用いて説明する。
【００４６】
視聴者端末３からメニューデータの送信要求を受付け、メニューデータを視聴者端末３に送信するまでのフロー（＃４１から＃４６まで）は、図２に基づいて説明した前記各フローと同様であるので、ここでは説明を省略する。図３の画面で視聴したい表示コンテンツのタイトルを視聴者がクリックによって選択すると、図４のリクエストデータ送信確認画面が表示される。そして、最下段の送信ボタンを押下すると、リクエストデータがＷＷＷサーバー部２１に送信される（＃４７）。
【００４７】
ＷＷＷサーバー部２１は、前記リクエストデータをリクエスト受付け手段１５に送る（＃４８）。リクエスト受付手段１５は前記リクエストデータとその受付日時を対応付けてリクエストデータベース３２に保存する（＃４９）。またリクエスト受付手段１５は、前記リクエストデータが示す表示コンテンツＩＤを抽出して、付加情報提供手段１７に送る（＃５０）。そして付加情報提供手段１７は送られてきた前記表示コンテンツＩＤをキーにして、付加情報データベース３４を検索する（＃５１）。付加情報データベース３４には、例えば図６の（４）に示す通り付加情報ＩＤ、及び付加情報データ保存場所等が表示コンテンツＩＤと対応付けられて付加情報タグデータとして保存されている。次に付加情報提供手段１７は、付加情報データベース３４から付加情報タグデータを抽出（＃５２）した後その付加情報データ保存場所を特定し、付加情報データをＷＷＷサーバー部２１に送信する（＃５３）。ＷＷＷサーバー部２１では視聴者端末３で表示可能な形式に前記付加情報を加工して、前記視聴者端末３に送信する（＃５４）。
【００４８】
視聴者端末３に送信された付加情報の表示画面の一例を図９と図１０に示す。図９は表示コンテンツにプロ野球中継（巨人ＶＳ阪神）を指定した視聴者端末３に送信された付加情報の表示画面例で、巨人阪神戦の試合経過だけでなく、その他球場での試合経過の情報も表示されている。最下段にはこの表示コンテンツのスポンサーである広告主の広告を表示している。さらに広告部分をクリックすると、図１０のように現在位置から店までの地図が表示される等詳細な広告情報が表示される。このように表示コンテンツだけに関する情報でなく、前記表示コンテンツに関連する情報も付加することで、視聴者がリクエストを積極的に行う動機付けになる。また広告主にとっても、表示装置に放映される広告だけでなく、個々の視聴者へ直接宣伝する機会を持つことができ、表示装置で放映される広告内容以上の情報を提供できるため、より広告効果を高めることができる。
【００４９】
また上記の例ではＷＷＷサーバー部２１による付加情報提供フローを説明したが、メールサーバー部２２を用いた付加情報提供を行ってもよい。この場合、表示コンテンツに係るリクエストデータ送信時に、例えば図４の画面でメールアドレスを入力してもらう。そして、前記メールアドレス先に付加情報のメールを送信する。この方法では広告主は視聴者端末のメールアドレスを取得することができるので、前記メールアドレスを利用したマーケティングを行うことも可能となる。
【００５０】
次に図１１を参照しながら、表示装置管理システムの別実施形態について説明する。
【００５１】
図１１に例示する表示装置管理システム３００は、図１に例示した表示装置管理システム１００に加えて広告料金算定手段１８を更に備えて構成される。ここで広告料金算定手段１８は、放映された広告の実績に基づき広告料を算定する機能を実現する。
【００５２】
次に広告料を算定するフローを、図１２を用いて説明する。
【００５３】
有効リクエストから表示コンテンツを選定し、表示コンテンツデータと広告データを表示コンテンツ制御手段１１に送るまでのフロー（＃６１から＃７０まで）は、図５に基づいて説明した前記各フローと同様であるので、ここでは説明を省略する。広告データ選定手段１２は表示コンテンツ選定手段１３から受け取った広告ＩＤや放映時間等のデータを、広告料金算定手段１８に転送する（＃７１）。広告料金算定手段１８は、前記広告ＩＤ等のデータと放映日時を対応付けて広告料金データベース３５に保存する（＃７２）。ここで図６の（５）に示すデータフォーマットのように予め各広告放映時に広告料金を算定して、広告ＩＤと対応付けて保存してもよいし、広告データ毎の広告料金を算定せず、月末等の決められたタイミングで広告料金をまとめて算定してもかまわない。
【００５４】
なお広告料の算定は、例えば放映時間に広告単価をかけて算定してもよいし、前記広告単価を放映時間帯毎に設定し、放映時間に放映時間帯を考慮した前記広告単価をかけて広告料を算定してもよい。このような広告算定手段１８を設けることにより、視聴者端末から送信されたリクエストデータによって放映された広告の放映時間に従って広告料金が算定されるので、広告主は一括契約よりも低廉な料金で広告を行うことができる。さらには視聴者が一番視聴したい表示コンテンツと共に広告が放映されるので、より多くの視聴者の注目を集めることができ、宣伝効果を高めることができる。
【００５５】
なお、図１３に示すように付加情報提供手段１７と広告算定手段１８を共に備える表示装置管理システム４００を構成することも可能である。この際、広告算定手段１８において、付加情報提供手段１７からの付加情報の送信回数を広告料算定のパラメータとして利用することも可能となる。
【００５６】
また有効リクエスト抽出手段１４は、リクエストデータの受付時間を基準として有効リクエストを抽出する機能を有するものとして説明したが、必ずしも受付時間だけが有効リクエスト抽出の判断指標ではない。例えば、リクエストデータ受付開始から一定数のリクエストデータを受付けた時点で、受付けたすべてのリクエストデータを有効リクエストとしてもよい。つまり前記一定数を１００とすれば、１００のリクエストデータを受付けた時点で、１００のリクエストデータを有効リクエストとして表示コンテンツ選定手段１３に送信する。そして、さらに視聴者端末からリクエストデータが送信されれば、新たに一定数の１００リクエストデータがきた時点で、これらを有効リクエストとして表示コンテンツ選定手段１３に送信してもよいし、新たに一定数の１００リクエストが来る前に、予め決められた一定のタイミングで新しいリクエストデータから数えて１００のリクエストデータを有効リクエストとして表示コンテンツ選定手段１３に送信してもよい。この場合、新しいリクエストデータ数の分だけ、古いリクエストデータが有効リクエストのカウントから除外されることとなる。このような方法で有効リクエストを抽出する場合は、必ずしもリクエストデータをその受付時間と対応付けてリクエストデータベース３２に保存する必要はない。
【００５７】
次に、本発明に係る表示装置管理システムの各手段を実現させるための表示管理システムプログラムについて説明する。
【００５８】
上述の表示装置管理システム１００は、上記表示コンテンツ制御手段１１と、広告データ選定手段１２と、表示コンテンツ選定手段１３と、有効リクエスト抽出手段１４と、リクエスト受付手段１５、表示コンテンツメニュー送信手段１６とを実現できるプログラム、更には付加情報提供手段１７と広告料金算定手段１８とを加えて実現させるプログラムをソフトウェア処理によりコンピュータ上で実現させることによって構築される。表示装置管理システム１００は、所定のプログラムを実行可能な演算処理部、メモリ、ハードディスクドライブ等の記憶部を備えてある情報処理装置を用いて実現可能であり、一般的なコンピュータを用いることもできる。なお、上述の各手段を実現させるためには、上記表示装置管理システム１００にインストールされたオペレーティングシステムなどによる基本機能として具備されているプログラムや既存のプログラムが利用されることもある。また表示装置管理システムが単数または複数台のコンピュータにより構成されている場合には、本発明に係る表示装置管理プログラムの一部または全部が各コンピュータにインストールされ、各機能が別々のコンピュータ上で実現される場合もある。また、上記表示装置管理プログラムを記憶媒体に格納して持ち運び、その記憶媒体が読み出し可能な状態におかれた他のコンピュータ上で上記表示装置管理システム１００を実現させることができる。
【図面の簡単な説明】
【図１】表示装置管理システムの機能ブロック図
【図２】視聴者端末からのメニューデータ送信要求からリクエストデータ保存までのフロー図
【図３】表示コンテンツメニュー画面例
【図４】リクエストデータ送信確認画面例
【図５】有効リクエスト抽出から表示装置へのコンテンツデータ送信までのフロー図
【図６】データレイアウト
【図７】表示装置管理システムの別形態（付加情報提供機能付加）のブロック図
【図８】付加情報提供のフロー図
【図９】付加情報表示画面例
【図１０】付加情報詳細表示画面例
【図１１】表示装置管理システムの別形態（広告料金算定機能付加）のブロック図
【図１２】広告料金算定のフロー図
【図１３】表示装置管理システムの別形態（付加情報提供機能・広告料金算定機能付加）のブロック図
【符号の説明】
１      表示装置
２      ネットワーク
３      視聴者端末
４      携帯電話
５      ＰＤＡ（Ｐｅｒｓｏｎａｌ  Ｄａｔａ  Ａｓｓｉｓｔａｎｔｓ）
６      モバイルパソコン
１０    データ処理部
１１    表示コンテンツ制御手段
１２    広告データ選定手段
１３    表示コンテンツ選定手段
１４    有効リクエスト抽出手段
１５    リクエスト受付手段
１６    表示コンテンツメニュー送信手段
１７    付加情報提供手段
１８    広告料金算定手段
２１    ＷＷＷサーバー部
２２    メールサーバー部
３１    広告データベース
３２    リクエストデータベース
３３    表示用コンテンツデータベース
３４    付加情報データベース
３５    広告料金データベース
１００  表示装置管理システム
【図１】
2004199241.tif 000003
【図２】
2004199241.tif 000004
【図３】
2004199241.tif 000005
【図４】
2004199241.tif 000006
【図５】
2004199241.tif 000007
【図６】
2004199241.tif 000008
【図７】
2004199241.tif 000009
【図８】
2004199241.tif 000010
【図９】
2004199241.tif 000011
【図１０】
2004199241.tif 000012
【図１１】
2004199241.tif 000013
【図１２】
2004199241.tif 000014
【図１３】
2004199241.tif 000015